(57)【要約】【課題】導光体の発光面における輝度のムラを抑制できる照明装置を提供する。【解決手段】照明装置１０は、発光素子２０と、発光素子２０を保持する保持部材３０と、保持部材３０と係合し、発光素子２０と対向して配置される長尺状の導光体４０と、を備える。導光体４０は、発光素子２０からの光を出射する発光面４２と、発光面４２に接続する側面４４と、を具備する。側面４４は、外方に突出する凸部４６を有し、凸部４６は、第１傾斜面４８Ａを有する。側面４４に対する第１傾斜面４８Ａの傾斜角度θが、０度より大きく２０度より小さい。【選択図】図１２
2019147439.tif 000002
【特許請求の範囲】
【請求項１】
発光素子と、
前記発光素子を保持する保持部材と、
前記保持部材と係合し、前記発光素子と対向して配置される長尺状の導光体と、を備え、
前記導光体は、
前記発光素子からの光を出射する発光面と、
前記発光面に接続する側面と、を具備し、
前記側面は、外方に突出する凸部を有し、
前記凸部は、傾斜面を有し、
前記側面に対する前記傾斜面の傾斜角度が、０度より大きく２０度より小さいことを特徴とする照明装置。
【請求項２】
前記凸部は、前記導光体の導光方向に沿って延出する上面を有し、
前記傾斜面は、前記上面に接続するとともに、前記導光方向に対し交差する方向に延出することを特徴とする請求項１に記載の照明装置。
【請求項３】
前記凸部は、それぞれ前記上面に接続し、前記導光方向に対し交差する方向に延出する第１交差面と第２交差面とを有し、
前記第１交差面は、前記第２交差面よりも前記発光素子から離れており、
前記第１交差面が前記傾斜面であることを特徴とする請求項２に記載の照明装置。
【請求項４】
前記第２交差面が前記側面に対し傾斜する傾斜角度が、前記第１交差面が前記側面に対し傾斜する傾斜角度と等しいことを特徴とする請求項３に記載の照明装置。
【請求項５】
前記導光体は、前記発光面に対向する凹溝部を有し、
前記凸部の少なくとも一部は、前記発光面と前記凹溝部との間にあることを特徴とする請求項１乃至４のいずれかに記載の照明装置。
【請求項６】
前記凹溝部の深さ方向に対し、前記凹溝部と前記凸部との少なくとも一部が重なることを特徴とする請求項５に記載の照明装置。
【請求項７】
前記傾斜角度は、０度より大きく１０度以下であることを特徴とする請求項１乃至６のいずれかに記載の照明装置。
【発明の詳細な説明】
【技術分野】
【０００１】
本発明は、照明装置に係り、特に乗物の内装に設けられる照明装置に関する。
【背景技術】
【０００２】
自動車等の乗物の内装に照明装置が設けられることがある。こうした照明装置には、例えば特許文献１に記載されているような、長尺状の導光体が用いられることがある。
特許文献１に記載されているように、長尺状の導光体は射出成形により形成されることが一般的である。
【先行技術文献】
【特許文献】
【０００３】
【特許文献１】特開２００９−２６９４９２号公報
【発明の概要】
【発明が解決しようとする課題】
【０００４】
上記の従来技術のように、射出成形により導光体を作製する場合には、導光体には、金型に設けられた射出材料を流し込むためのゲート近傍に凸状のゲート痕が形成される。
導光体に凸状のゲート痕が残っていると、ゲート痕において光が反射することで、導光体の発光面に輝度ムラが生じることがある。
【０００５】
本発明は、上記の課題に鑑みてなされたものであり、その目的は、導光体の発光面における輝度のムラを抑制できる照明装置を提供することにある。
【課題を解決するための手段】
【０００６】
本実施形態に係る照明装置によれば、発光素子と、前記発光素子を保持する保持部材と、前記保持部材と係合し、前記発光素子と対向して配置される長尺状の導光体と、を備え、前記導光体は、前記発光素子からの光を出射する発光面と、前記発光面に接続する側面と、を具備し、前記側面は、外方に突出する凸部を有し、前記凸部は、傾斜面を有し、前記側面に対する前記傾斜面の傾斜角度が、０度より大きく２０度より小さいことにより解決される。
上記の照明装置によれば、導光体の側面に設けられた凸部に傾斜面を設けたことで、凸部からの反射光を適度に分散させて導光体の発光面に向かわせることができる。これにより、凸部からの反射光が当たる箇所と当たらない箇所との輝度差を抑制できる。そのため、上記の照明装置によれば、導光体の発光面における輝度のムラを抑制できる。
【０００７】
上記の照明装置において、前記凸部は、前記導光体の導光方向に沿って延出する上面を有し、前記傾斜面は、前記上面に接続するとともに、前記導光方向に対し交差する方向に延出するとよい。
こうすることで、凸部のうち、光の導光方向に対して交差する面を傾斜面とすることで、光の導光方向に対して交差する面における反射光を分散させて発光面に向かわせることができる。これにより、導光体の発光面における輝度のムラをより抑制できる。
【０００８】
上記の照明装置において、前記凸部は、それぞれ前記上面に接続し、前記導光方向に対し交差する方向に延出する第１交差面と第２交差面とを有し、前記第１交差面は、前記第２交差面よりも前記発光素子から離れており、前記第１交差面が前記傾斜面であるとよい。
このように、凸部において、光の導光方向に対して交差する面のうち発光素子から遠い側を傾斜面とすることで、凸部において最も反射の光量が大きい箇所からの反射光を分散させて導光体の発光面に向かわせることができる。
【０００９】
上記の照明装置において、前記第２交差面が前記側面に対し傾斜する傾斜角度が、前記第１交差面が前記側面に対し傾斜する傾斜角度と等しいとよい。
こうすることで、凸部を左右対称の形状とすることができる。これにより、凸部の型形成を容易とすることができる。
また、第２交差面で反射して発光面に向かう光についても適度に分散させることができる。これにより、発光面における輝度のムラをより抑制できる。
【００１０】
上記の照明装置において、前記導光体は、前記発光面に対向する凹溝部を有し、前記凸部の少なくとも一部は、前記発光面と前記凹溝部との間にあるとよい。
このように凹溝部を設けることで、側面に向かう光量を増加させた場合において発光面における輝度のムラを抑制できる。
【００１１】
上記の照明装置において、前記凹溝部の深さ方向に対し、前記凹溝部と前記凸部との少なくとも一部が重なるとよい。
こうすることで、凹溝部で反射して凸部に向かう光量がさらに増えた場合においても、発光面における輝度のムラを抑制できる。そのため、導光体を薄型化した場合においても、導光体の発光面における輝度のムラを抑制できる。
【００１２】
上記の照明装置において、前記傾斜角度は、０度より大きく１０度以下であるとよい。
こうすることで、凸部からの反射光をより効果的に分散させ、発光面における輝度のムラをより一層抑制できる。
【発明の効果】
【００１３】
本発明によれば、導光体の発光面における輝度のムラを抑制できる。
本発明によれば、光の導光方向に対して交差する面における反射光を分散させて発光面に向かわせることができる。
本発明によれば、凸部において最も反射の光量が大きい箇所からの反射光を分散させて導光体の発光面に向かわせることができる。
本発明によれば、凸部の型形成を容易とすることができる。
本発明によれば、側面に向かう光量を増加させた場合において発光面における輝度のムラを抑制できる。
本発明によれば、導光体を薄型化した場合においても、導光体の発光面における輝度のムラを抑制できる。
本発明によれば、凸部からの反射光をより効果的に分散させ、発光面における輝度のムラをより一層抑制できる。
【図面の簡単な説明】
【００１４】
【図１】本発明の一実施形態に係る照明装置を備えるドアライニングの概略構成図である。
【図２】ドアライニングに対する照明装置の取り付け構造を示す図である。
【図３】ドアライニングの全体構成を示す図である。
【図４】保持部材と導光体の接続部分を拡大して示す図である。
【図５】図４のV-V断面図である。
【図６】図５のVI-VI断面図である。
【図７】図５のVII-VII断面図である。
【図８】導光体の全体構成を示す図である。
【図９】導光体の端面部の構成を示す図である。
【図１０】図９のX矢視図である。
【図１１】図９のXI-XI断面図である。
【図１２】導光体の凸部を拡大して示す図である。
【図１３】図１２のXIII-XIII断面図である。
【図１４】照明装置の凸部の第１傾斜面による光の分散効果を説明する図である。
【図１５】傾斜角度と輝度ムラとの関係を示す図である。
【発明を実施するための形態】
【００１５】
以下、図１乃至図１５を参照しながら、本発明の実施の形態（以下、本実施形態）に係る照明装置１０について説明する。
照明装置１０は、自動車等の乗物の内装に設けられるものであり、本実施形態では照明装置１０は、自動車のドアライニング１に設けられる例について説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
【００１６】
＜ドアライニング１＞
図１には、照明装置１０を取り付けたドアライニング１の概略構成図を示した。図１に示されるドアライニング１は、主に例えばプラスチック等の樹脂材料を含み構成され、自動車のドアパネルの内側に取り付けられる内装部材である。
なお、以下の説明において、上下、前後、内外の各方向は、自動車のシートに着座する乗員から見た上下、前後、内外の各方向に一致する。なお、上記の「内外」の方向とは、ドアライニング１から自動車の車内方向、車外方向に対応する。
【００１７】
図１に示されるように、ドアライニング１は、車内方向に突出して設けられたドアアームレスト３と、ドアの開閉操作を行うためのドアノブ７を有している。
なお、ドアアームレスト３には、複数のスイッチを含むスイッチ部５が設けられており、スイッチ部５の操作により図示しないドアに設けられた窓の開閉操作等が可能となっている。また、スイッチ部５の操作により、照明装置１０の発光のオンオフ、発光パターンの切り替えが可能としてもよい。
そして、ドアライニング１には、照明装置１０が取り付けられており、ドアライニング１の一部（例えばドアアームレスト３）をライン状に発光させることが可能となっている。
【００１８】
図２には、ドアライニング１への照明装置１０の取り付け構造を示した。図２に示されるように、ドアライニング１のドアアームレスト３と一体的に成形される取付部材９に対して、照明装置１０が取り付けられる。
ここで、照明装置１０は主に、発光ユニット１２と、発光ユニット１２から照射される光を導光する導光体４０と、を有しており、発光ユニット１２と導光体４０の各々が取付部材９に固定される。
また、取付部材９及び導光体４０の上方には、移動規制部８が設けられており、移動規制部８が発光ユニット１２と当接することにより、発光ユニット１２の移動を規制し、位置ずれを防止している。
【００１９】
＜照明装置１０＞
以下、図３乃至図１３を参照しながら、照明装置１０の構成について説明する。
図３に示されるように、照明装置１０は、主要な構成として、発光ユニット１２と、導光体４０とを備える。
【００２０】
図４乃至図７に示されるように、発光ユニット１２は、主要な構成として、発光素子２０と、発光素子２０を保持する保持部材３０とを備える。
発光素子２０は、電気信号を光信号に変換する電子部品であって、例えばＬＥＤや半導体レーザである。
発光素子２０は、基板２２に取り付けられており、基板２２を通じて入力される電気信号（電流）に応じて光信号を出力する。基板２２に対しては、図示しない制御ユニットから上記の電気信号が伝送される。
【００２１】
発光素子２０と基板２２とは、樹脂材料から成形される保持部材３０に保持される。そして、基板２２は、発光素子２０を取り付ける接続部と、制御ユニットからの電気信号の入力を受け付けるための端子部とを有する。
なお、保持部材３０は、インサート成形によって、内部に基板２２を保持する形状に形成される。そして、基板２２の上に、発光素子２０をはんだ付けすることにより、基板２２に対して発光素子２０が取り付けられる。
【００２２】
また、保持部材３０は、主要な構成として、収容部３２と、筒部３４とを備える。
収容部３２は、発光素子２０及び基板２２を内部に収容する。また、筒部３４は、収容部３２に接続しており、収容部３２に保持される発光素子２０の出射方向に向けて延出した円筒体である。なお、収容部３２と筒部３４とは一体的に成形される。
【００２３】
図４乃至図７に示されるように、筒部３４は、発光素子２０の出射方向に延出した複数の保持部３５を有している。そして、図７に示されるように、保持部３５の先端には導光体４０に向けて突出した鈎状の爪部３６が形成されており、爪部３６が導光体４０に設けられた凸状の係合部６４に係合することにより、筒部３４に導光体４０が固定される。
すなわち、導光体４０の一端部が筒部３４の内部に入り込んだ状態で保持されることで、発光素子２０に対して導光体４０の端面部５０が対向した状態に配置されることとなる。
【００２４】
＜導光体４０＞
次に、導光体４０の構成について説明する。
導光体４０は、保持部材３０と係合し、発光素子２０と対向して配置される長尺状の部材である。具体的には、導光体４０は、アクリル樹脂等の透明樹脂からなり、発光素子２０と対向した一方の端部（（入力側）端面部５０）から入射した光を、他方の端部（出力側端面部５１）に向けて導く部材である。
【００２５】
図８に示されるように、導光体４０は、第１導光部４０Ａと、第２導光部４０Ｂとを有し、第１導光部４０Ａと第２導光部４０Ｂとは屈曲した屈曲部４０Ｃにより接続されている。
第１導光部４０Ａは、導光体４０において発光素子２０に近い位置に設けられる。すなわち、第１導光部４０Ａの端部である端面部５０は、発光素子２０に対向する位置に配される。
【００２６】
ここで、図９乃至図１１を参照しながら、導光体４０の端面部５０及び端面部５０の近傍の構成について説明する。端面部５０と端面部５０の近傍は、概ね円柱形状をなしている。
【００２７】
図９に示されるように、端面部５０には、発光素子２０から発せられる光を集光するレンズとして機能する集光部５２が一体的に成形される。具体的には、集光部５２は、端面部５０の中央部に設けられた端面側凸部５４と、端面側凸部５４を取り囲む端面側凹部５６を有する。
【００２８】
端面側凸部５４は、発光素子２０に向けて突出した凸レンズ状に湾曲して形成される部分である。図６に示されるように、端面側凸部５４の中心と、発光素子２０の中心とは対向する位置となるように配される。そして、発光素子２０から発せられる光が端面側凸部５４により導光体４０の中心軸方向に集光されることで、発光素子２０から端面部５０の中心付近に向けられた光が、導光体４０の外部に向かうことを抑制している。
【００２９】
さらに、端面側凸部５４の周囲には端面側凹部５６が形成されている。この端面側凹部５６は端面側凸部５４の周囲において円環状に凹んだ部分であり、凹レンズ状に湾曲して形成される部分である。すなわち、端面側凹部５６は、発光素子２０から外側に広がって進行する光を、導光体４０の長手方向に向かうように屈折させる。
そして、図６に示されるように、端面側凸部５４の外径は、発光素子２０の外径と等しいか、僅かに大きくなっている。
【００３０】
このように、発光素子２０と対向する端面部５０に、端面側凸部５４と端面側凹部５６からなる集光部５２を設けたことで、発光素子２０から端面部５０に向けて出射された光を導光体４０の内部を通るようにし、外側に散乱することを抑制できる。
【００３１】
また、端面部５０には、端面側凹部５６を取り囲む位置に外周部５８が形成される。この外周部５８は、発光素子２０に向けて突出した円環状の凸部である。
また、図１０に示されるように、外周部５８は、端面部５０に向かって径が次第に小さくなるテーパー部５９を有している。すなわち、外周部５８の外側面は、端面部５０に向かって径が次第に小さくなっている。なお、テーパー部５９は、側面視において直線状であってもよいし、湾曲していてもよい。
【００３２】
また、図９乃至図１１に示されるように、外周部５８は、端面部５０に隣接した位置に、導光体４０の位置を規制するための第１位置規制部６０を有する。具体的には、第１位置規制部６０は、テーパー部５９から周方向外側に向かって突出する第１突出部６０Ａと第２突出部６０Ｂとを有する。そして、第１突出部６０Ａと第２突出部６０Ｂとは、集光部５２（端面側凸部５４）を挟む位置に設けられる。
なお、端面側凸部５４において発光素子２０に近い側の第１端部５４Ａは、外周部５８において発光素子２０に近い側の第２端部５８Ａよりも、保持部材３０から遠くなっている。
すなわち、図７に示されるように、第１突出部６０Ａと第２突出部６０Ｂは、保持部材３０に当接し、これにより、導光体４０の端面側凸部５４が発光素子２０に当たらないように、導光体４０の位置を規制している。
【００３３】
また、図９及び図１０に示されるように、導光体４０の外周部５８において、第１位置規制部６０よりも発光素子２０から遠い箇所には、外側に凸状の係合部６４が２つ形成されている。図６に示されるように、係合部６４は、筒部３４の爪部３６と嵌合し、これにより、導光体４０が保持部材３０に取り付けられるとともに、導光体４０の出力側端面部５１方向への位置ずれが規制されることとなる。
【００３４】
また、図９及び図１０に示されるように、導光体４０の外周部５８において、第１位置規制部６０よりも発光素子２０から遠い箇所には、外側に凸状の第２位置規制部６２が形成されている。図４及び図５に示されるように、第２位置規制部６２は、筒部３４の保持部３５の間に配されており、これにより、導光体４０が筒部３４の奥側（すなわち発光素子２０の方）への移動が所定位置以上に行かないように規制している。また、第２位置規制部６２は、導光体４０が保持部材３０に取り付けられた状態で、導光体４０が回転することも規制している。
【００３５】
なお、図９に示されるように、端面部５０を正面から見た場合に、第２位置規制部６２と第１位置規制部６０とは上下方向に重なる位置にある。そして、係合部６４は、第１位置規制部６０とは９０度ずれた位置にある。
【００３６】
図８に示されるように、第１導光部４０Ａの中央部から第２導光部４０Ｂに向けて、導光体４０には凹溝部４３が形成される。そして、凹溝部４３に対して反対側が発光面４２となる。
【００３７】
そして、図８、図１２、図１３に示されるように、導光体４０の第２導光部４０Ｂにおいて、発光面４２と接続する側面４４には、外方に突出する凸部４６が形成される。この凸部４６は、導光体４０を射出成形する際におけるゲート痕である。
なお、上記の側面４４は、発光面４２に対して略直交して接続する面である。
【００３８】
図１３に示されるように、凹溝部４３の深さ方向に対し、凹溝部４３と凸部４６との少なくとも一部が重なっている。具体的には、凸部４６の発光面４２に近い側の端部は、凹溝部４３の深さ方向に対し、凹溝部４３の溝底部４３Ａと発光面４２との間に位置する。
また、凹溝部４３の溝底部４３Ａにはシボ加工が施されており、溝底部４３Ａにおいて光を拡散反射させるようにしている。
溝底部４３Ａと発光面４２との間の距離が短くなると、凸部４６における反射光の影響が大きくなるが、この反射光の影響を凸部４６の形状により低減している。以下、凸部４６の構成について説明する。
【００３９】
図１２に示されるように、凸部４６は、導光体４０の導光方向に沿って延出する上面４７と、上面４７に接続する第１傾斜面４８Ａ（第１交差面）及び第２傾斜面４８Ｂ（第２交差面）を有する。
なお、上記の「導光方向」とは、端面部５０から出力側端面部５１に向かう方向であり、第２導光部４０Ｂの長手方向に相当する。
【００４０】
また、第１傾斜面４８Ａ及び第２傾斜面４８Ｂはそれぞれ、上記の導光方向に対し交差する方向に延出する。
すなわち、第１傾斜面４８Ａ及び第２傾斜面４８Ｂの法線方向が、第２導光部４０Ｂの長手方向（導光方向）と交差する。
ここで、第１傾斜面４８Ａは、第２傾斜面４８Ｂよりも発光素子２０から離れた位置にある。
本実施形態では、第１傾斜面４８Ａと第２傾斜面４８Ｂとは上面４７に対し左右対称に設けられており、第１傾斜面４８Ａと側面４４とのなす角度（第１傾斜角度）と、第２傾斜面４８Ｂと側面４４とのなす角度（第２傾斜角度）は等しいこととし、傾斜角度θとする。
【００４１】
図１４に示されるように、第１傾斜面４８Ａを側面４４に対して傾斜させることで、発光ユニット１２から導光体４０の内部を反射しながら通る光が、凸部４６に入ると、第１傾斜面４８Ａで反射し、発光面４２から出射される。
この際、図１４に示されるように、傾斜角度θを変えることにより、第１傾斜面４８Ａにおける反射光の広がりが変化し、それにより発光面４２における第１発光領域Ａと第２発光領域Ｂとの輝度差が変化する。
ここで、第１発光領域Ａは、第１傾斜面４８Ａからの反射光が当たらない領域であり、第２発光領域Ｂは第１傾斜面４８Ａからの反射光が当たる領域である。
【００４２】
そして、図１５には、傾斜角度θを複数変えた場合における第１発光領域Ａと第２発光領域Ｂの輝度及び輝度差を示した。
なお、図１５に示される輝度（ｃｄ／ｍ２）は、光学シミュレーションの結果に基づき得たものであり、図１５では傾斜角度θが１０度、２０度、３０度について示している。
【００４３】
図１５に示されるように、第１傾斜面４８Ａの傾斜角度θは３０度、２０度、１０度と小さくなるにつれ輝度差が小さくなっている。
そして、傾斜角度θを２０度より小さくすることで、第１発光領域Ａと第２発光領域Ｂとの輝度差を３０％程度に収めることができる。
また、傾斜角度θを１０度以下とすることで、第１発光領域Ａと第２発光領域Ｂとの輝度差を１０％未満に収めることができる。
上記の結果から、傾斜角度θを０度より大きく２０度未満とすると、第１発光領域Ａと第２発光領域Ｂの輝度差が抑えられ、輝度のムラを小さくすることが可能である。
さらに、傾斜角度θを０度より大きく１０度以下とすると、第１発光領域Ａと第２発光領域Ｂの輝度差がより一層抑えられ、輝度のムラを更に小さくすることが可能である。
このように、第１傾斜面４８Ａの傾斜角度θを適切な値に設定することにより、凸部４６を残したままであっても、導光体４０の輝度のムラを抑制することが可能となる。
【００４４】
＜まとめ＞
以上説明した本実施形態に係る照明装置１０の主な特徴は以下の通りである。
【００４５】
［１］照明装置１０は、発光素子２０と、発光素子２０を保持する保持部材３０と、保持部材３０と係合し、発光素子２０と対向して配置される長尺状の導光体４０と、を備える。導光体４０は、発光素子２０からの光を出射する発光面４２と、発光面４２に接続する側面４４と、を具備する。側面４４は、外方に突出する凸部４６を有し、凸部４６は、傾斜面（第１傾斜面４８Ａ）を有する。側面４４に対する傾斜面の傾斜角度θが、０度より大きく２０度より小さい。
上記の照明装置１０によれば、導光体４０の側面４４に設けられた凸部４６に傾斜面を設けたことで、凸部４６からの反射光を適度に分散させて導光体４０の発光面４２に向かわせることができる。これにより、凸部４６からの反射光が当たる箇所と当たらない箇所との輝度差を抑制できる。そのため、上記の照明装置１０によれば、導光体４０の発光面４２における輝度のムラを抑制できる。
【００４６】
［２］上記の照明装置１０において、凸部４６は、導光体４０の導光方向に沿って延出する上面４７を有し、傾斜面は、上面４７に接続するとともに、導光方向に対し交差する方向に延出する。
こうすることで、凸部４６のうち、光の導光方向に対して交差する面を傾斜面とすることで、凸部４６における主な反射光を分散させて発光面４２に向かわせることができる。これにより、発光面４２における輝度のムラをより抑制できる。
【００４７】
［３］上記の照明装置１０において、凸部４６は、それぞれ上面４７に接続し、導光方向に対し交差する方向に延出する第１交差面（第１傾斜面４８Ａ）と第２交差面（第２傾斜面４８Ｂ）とを有する。第１交差面は、第２交差面よりも発光素子２０から離れており、第１交差面が傾斜面である。
このように、凸部４６において、光の導光方向に対して交差する面のうち発光素子２０から遠い側を傾斜面とすることで、凸部４６において最も反射の光量が大きい箇所からの反射光を分散させて導光体４０の発光面４２に向かわせることができる。
【００４８】
［４］上記の照明装置１０において、第２交差面が側面４４に対し傾斜する傾斜角度が、第１交差面が側面に対し傾斜する傾斜角度と等しい。
こうすることで、凸部４６を左右対称の形状とすることができる。これにより、凸部４６の型形成を容易とすることができる。
また、第２交差面で反射して発光面４２に向かう光についても適度に分散させることができる。これにより、発光面４２における輝度のムラをより抑制できる。
【００４９】
［５］上記の照明装置１０において、導光体４０は、発光面４２に対向する凹溝部４３を有し、凸部４６の少なくとも一部は、発光面４２と凹溝部４３との間にある。
このように凹溝部４３を設けることで、側面４４に向かう光量を増加させた場合において発光面４２における輝度のムラを抑制できる。
【００５０】
［６］上記の照明装置１０において、凹溝部４３の深さ方向に対し、凹溝部４３と凸部４６との少なくとも一部が重なる。
こうすることで、凹溝部４３で反射して凸部４６に向かう光量がさらに増えた場合においても、発光面４２における輝度のムラを抑制できる。
【００５１】
［７］上記の照明装置１０において、傾斜角度θは、０度より大きく１０度以下である。
こうすることで、凸部４６からの反射光をより効果的に分散させ、発光面４２における輝度のムラをより一層抑制できる。
【００５２】
［８］また、照明装置１０は、発光素子２０と、発光素子２０を保持する保持部材３０と、保持部材３０と係合し、発光素子２０と対向して配置される長尺の導光体４０と、を備える。導光体４０は、発光素子２０と対向する端面部５０を有し、端面部５０には、発光素子２０から発せられる光を集光する集光部５２が一体的に形成されている。
上記の照明装置１０によれば、発光素子２０から導光体４０に向けて発せられる光が、導光体４０の入力側の端面に形成された集光部５２で集光されて導光体４０の内部に導光される。これにより、導光体４０の入力側の端面付近において光が外部に発散してしまうことを抑制できる。
【００５３】
［９］上記の照明装置１０において、集光部５２は、端面部５０の中央に形成された凸状の端面側凸部５４と、端面側凸部５４を囲む位置に形成された凹状の端面側凹部５６と、を有する。
こうすることで、発光素子２０から発せられる光を導光体の内部に向けてより効率良く集光できる。
【００５４】
［１０］上記の照明装置１０において、端面側凸部５４と端面側凹部５６のそれぞれの表面は湾曲している。
こうすることで、発光素子２０からの光を導光体４０の内部に向けて、さらに効率よく集光できる。
【００５５】
［１１］上記の照明装置１０において、端面側凹部５６を囲む位置に設けられた凸状の外周部５８を有し、端面側凸部５４において保持部材３０に近い側の第１端部５４Ａは、外周部５８において保持部材３０に近い側の第２端部５８Ａよりも、保持部材３０から遠い。
こうすることで、導光体４０と保持部材３０との干渉を抑制できる。また、導光体４０と発光素子２０との距離を一定以上確保できる。
【００５６】
［１２］上記の照明装置１０において、外周部５８は、端面部５０に向かって径が次第に小さくなるテーパー部５９を有する。
こうすることで、テーパー部５９から光が導光体４０の外部に透過していくことを抑制し、発光素子２０から導光体４０に向けて発せられる光をさらに効率良く集光できる。
【００５７】
［１３］上記の照明装置１０において、外周部５８は、端面部５０に隣接した位置に、導光体４０の位置を規制するための第１位置規制部６０を有する。
こうすることで、発光素子２０に対する導光体４０の位置ずれを抑制できる。
【００５８】
［１４］上記の照明装置１０において、第１位置規制部６０は、外周部５８から周方向外側に向かって突出する第１突出部６０Ａと第２突出部６０Ｂとを有し、第１突出部６０Ａと第２突出部６０Ｂとは、集光部５２を挟むように設けられている。
こうすることで、発光素子２０に対する導光体４０の位置ずれをより一層抑制できる。
【００５９】
＜その他の実施形態＞
本発明は、上記の実施形態に限定されるものではない。
例えば、上記の実施形態では、凸部４６に対し第１傾斜面４８Ａと第２傾斜面４８Ｂの二面の傾斜面を設けたが、第１傾斜面４８Ａのみを設けることとしてもよい。この場合には、上面４７のうち発光素子２０に近い側の辺と接続する面は、側面４４に対して直交していてよい。
【００６０】
また、凸部４６には上面４７を設けずに、第１傾斜面４８Ａと第２傾斜面４８Ｂを直接接続してもよい。
また、第１傾斜面４８Ａは平面に限られるものではなく、湾曲していてもよい。
また、凸部４６は側面４４に対して１つに限られず、複数設けてもよい。
また、凹溝部４３において溝底部４３Ａ以外の部分（すなわち溝底部４３Ａに接続される壁部）にもシボ加工を施してもよい。
【００６１】
また、照明装置１０は、自動車のドアライニング１に限られず、ダッシュボードやその他の内装に設けることができる。
また、照明装置１０は、自動車に限られず、自動二輪車、自動三輪車、船舶、航空機、列車等の各種乗物の内装に設けることができる。
【符号の説明】
【００６２】
１  ドアライニング
３  ドアアームレスト
５  スイッチ部
７  ドアノブ
８  移動規制部
９  取付部材
１０  照明装置
１２  発光ユニット
２０  発光素子
２２  基板
３０  保持部材
３２  収容部
３３  係止爪部
３４  筒部
３５  保持部
３６  爪部
４０  導光体
４０Ａ  第１導光部
４０Ｂ  第２導光部
４０Ｃ  屈曲部
４２  発光面
４３  凹溝部
４３Ａ  溝底部
４４  側面
４６  凸部
４７  上面
４８Ａ  第１傾斜面（第１交差面）
４８Ｂ  第２傾斜面（第２交差面）
５０  端面部
５１  出力側端面部
５２  集光部
５４  端面側凸部
５４Ａ  第１端部
５６  端面側凹部
５８  外周部
５８Ａ  第２端部
５９  テーパー部
６０  第１位置規制部
６０Ａ  第１突出部
６０Ｂ  第２突出部
６２  第２位置規制部
６４  係合部
Ａ  第１発光領域
Ｂ  第２発光領域
θ  傾斜角度
【図１】
2019147439.tif 000003
【図２】
2019147439.tif 000004
【図３】
2019147439.tif 000005
【図４】
2019147439.tif 000006
【図５】
2019147439.tif 000007
【図６】
2019147439.tif 000008
【図７】
2019147439.tif 000009
【図８】
2019147439.tif 000010
【図９】
2019147439.tif 000011
【図１０】
2019147439.tif 000012
【図１１】
2019147439.tif 000013
【図１２】
2019147439.tif 000014
【図１３】
2019147439.tif 000015
【図１４】
2019147439.tif 000016
【図１５】
2019147439.tif 000017